(57)【要約】【課題】  種子が培養液や水に直接触れることによる種子の腐敗を防止し、さらに種子が腐敗して水が汚染しても容易に汚染した水を新鮮なものと交換でき、さらに給水の頻度を低減して、ユーザが容易に発芽させて、水耕栽培を楽しめる植物栽培容器を提供する。【解決手段】  植物を種子（１）から発芽させて栽培する植物栽培容器（Ｖ）において、貯水器（ＷＶ）は外部から供給される液体（Ｗ）を貯え、液体保持部材（ＷＨＭ）は外部から供給される液体（Ｗ）の所定量を吸収保持し、水分保持器（ＷＨ）は貯水器（ＷＶ）の上部に位置して液体保持部材（ＷＨＭ）を貯水器（ＷＶ）の底面（Ｂｖ）から第１の高さ（Ｈｃ）に保持し、種子（１）は液体保持部材（ＷＨＭ）に蒔かれると共に、液体保持部材（ＷＨＭ）を介して給水される。【選択図】  図１
2006034238.tif 000002
【特許請求の範囲】
【請求項１】
植物を種子から発芽させて栽培する植物栽培容器であって、
外部から供給される液体を貯える貯水器と、
前記外部から供給される液体の所定量を吸収保持する液体保持部材と、
前記貯水器の上部に位置して、前記液体保持部材を当該貯水器の底面から第１の高さに保持する水分保持器とを備え、
種子は前記液体保持部材に蒔かれると共に、当該液体保持部材を介して給水されることを特徴とする植物栽培容器。
【請求項２】
前記液体は前記貯水器の底面から、前記第１の高さより低い第２の高さまで供給されることを特徴とする請求項１に記載の植物栽培容器。
【請求項３】
前記水分保持材は前記貯水器に貯えられた液体の蒸発による水蒸気によって給水されることを特徴とする請求項２に記載の植物栽培容器。
【請求項４】
前記貯水器の内形状と、前記水分保持器の外形状は概ね相似形であり、当該水分保持器の上端部の周囲には縁部が設けられており、
当該水分保持器は前記貯水器の上端部に勘合すると共に、当該縁部によって当該貯水器の上端部に係止されることを特徴とする請求項３に記載の植物栽培容器。
【請求項５】
前記貯水器の側壁には、前記第２の高さに排水口が設けられ、当該貯水器に供給される液体は当該第２の高さより低い水位まで貯えられることを特徴とする請求項２に記載の植物栽培容器。
【請求項６】
前記排水口を閉塞する栓を備える請求項５に記載の植物栽培容器。
【請求項７】
前記水分保持器は透明な材質で構成されることを特徴とする請求項６に記載の植物栽培容器。
【請求項８】
前記貯水器は透明な材質で構成されることを特徴とする請求項２に記載の植物栽培容器。
【請求項９】
前記水分保持材は、それぞれが第１の大きさで規定される顆粒状に形成され、前記水分保持器の底面には、当該第１の大きさより小さな第２の大きさで規定される切り込みが複数個設けられていることを特徴とする請求項１に記載の植物栽培容器。
【請求項１０】
前記水分保持材は、生分解性セルロースで構成されることを特徴とする請求項９に記載の植物栽培容器。
【請求項１１】
前記液体は水であることを特徴とする請求項１に記載の植物栽培容器。
【発明の詳細な説明】
【技術分野】
【０００１】
本発明は、植物を種子から発芽させて水耕栽培する容器に関し、さらに詳述すれば、家庭や事務所などの卓上において植物を水耕栽培する植物栽培容器に関する。
【背景技術】
【０００２】
近年、スプラウトと呼ばれる植物の新芽に含まれる種々の栄養素が健康に効果的であり、さらに身近に植物の新緑を置くことにより精神的安らぎを得られることから、食用或いは観葉の目的の為に、事務所や家庭の卓上で植物を種子から栽培することが注目されている。この目的の為に、種々なタイプの植物栽培容器が提案或いは実用化されている。
【０００３】
そのような植物栽培容器の一つに、培養液中に浸されたスポンジに植物の種子を埋め込んで、発芽率および芽の成長速度を高めるもの（特許文献１）がある。また、熱接着シートにて容器を閉塞して、容器の運搬中に種子が外部にこぼれ出さないようにして取り扱いの便宜を図るもの（特許文献２）がある。また、取り扱いの便宜を図ったものとして、閉塞された容器の内部に種子を担持体と共に封入したものがある。さらに、種子に水分が十分に供給されるように、水を張った容器の上に、種子が水に直接浸されて保持されるように工夫されたものもある。
【０００４】
図５に、上述の培養液中に浸されたスポンジを用いるもの（特許文献１）の一例を示す。本例にかかる植物栽培容器Ｖａは、培養液２ａが貯えられたシャーレ１ａに、立方体の置床用スポンジ３ａが配置されている。スポンジ３ａの上面に設けられた複数の切れ目４ａのそれぞれに栽培すべき植物の種子Ｓ（図示せず）が１粒ずつ埋設されている。シャーレ１ａに貯えられた培養液２ａは、スポンジ３ａによって吸い上げられて、スポンジ３ａに貯えられる。そして、スポンジ３ａに埋設された種子Ｓは、スポンジ３ａに貯えられた培養液２ａに覆われて、常に給水される。植物栽培容器Ｖａをこの状態で数日保つことによって、スポンジ３ａに埋設された種子から芽５ａがでること確認されている。なお、同植物栽培容器Ｖａにおいては、培養液に杜仲茶液を用いることで、水を用いた場合に比べて、芽５ａの発芽率および成長率の向上を目的としている。
【０００５】
図６に、上述の熱接着シートにて容器を閉塞して、取り扱いの便宜を図るもの（特許文献２）の一例を示す。本例に係る植物栽培容器Ｖｂは、植物繊維或いは合成繊維で成型された多孔質な植物容器１ｂに、種子Ｓが種子担体（図示せず）と共に充填される。植物容器１ｂは、二連であり、上端開口部１Ａｂは熱接着シート２ｂが接着されて閉塞される。この閉塞された植物容器１ｂは、水Ｗが張られたトレイ３ｂに置かれ、その底部が水Ｗに浸される。水Ｗは植物容器１ｂに吸収されて、植物容器１ｂ或いは種子担体に貯えられる。種子Ｓには、植物容器１ｂ或いは種子担体に貯えられている水Ｗに直接接して、常に給水されて発芽ＳＰする。なお、吸い上げられた水Ｗは、容器１ｂを介して熱接着シート２ｂに達すると、熱接着シート２ｂは殆ど自然に植物容器１ｂから剥がれる。
【０００６】
図７に、やはり取り扱いの便宜を図ったものの一例を示す。植物容器Ｖｃは、穴４ｃが開けられた卵殻１ｃであり、その穴４ｃを介して、吸水性の良い担体Ｍに保持された種子Ｓが封入されている。そして、封入後に、穴４ｃは不織紙５ｃ等で閉塞されて保持される。栽培を開始する際には、卵殻１ｃの先端部を割り除いて開口させた状態で、水を張った皿３ｃの上に、穴４ｃを下にして載置する。皿３ｃに張られた水Ｗは、不織紙５ｃを介して穴４ｃから、卵殻１ｃの内部に吸い上げられて、水Ｗとして種子Ｓに直接接して種子Ｓに給水される。
【０００７】
図８に、種子に水分が十分に供給されるように、水Ｗを張った容器に、種子が直接或いは間接的に保持されるように工夫されたものの一例を示す。植物容器Ｖｄは、基本的に、水Ｗを貯える貯水器３ｄと、貯水器３ｄに貯えられた水Ｗに浸る状態で種子Ｓを保持する棚部１ｄで構成される。棚部１ｄには、複数の貫通孔Ｈｄが設けられており、貫通孔Ｈｄの上部で種子Ｓを保持する。そして、棚部１ｄは貯水器３ｄの内周形状と概ね相似な外形状を有しており、貯水器３ｄの内形状は、上部側では棚部１ｄの外形状より大きく、中央部あたりで棚部１ｄの外形状より小さく構成されている。結果、棚部１ｄは貯水器３ｄの中央部で支持される。この状態で、棚部１ｄの貫通孔Ｈｄの上端部より上まで、水Ｗが張られる。結果、種子Ｓは水Ｗに浸された状態で保たれることによって、給水が行われる。
【特許文献１】特開平５−３８２３７号公報
【特許文献２】特開２００３−００９６７１号公報
【発明の開示】
【発明が解決しようとする課題】
【０００８】
図５に示した植物栽培容器Ｖａにおいては、スポンジ３ａが常に培養液２ａに浸されており、さらにスポンジ３ａに貯えられた培養液２ａが種子Ｓに直接触れている。つまり、スポンジ３ａは、多孔質な構造体であり、その孔に培養液２ａ或いは水Ｗをそのままの状態で保持する。よって、スポンジ３ａに埋設された種子Ｓは、スポンジ３ａの孔に保持された培養液２ａ或いは水Ｗに直接触れる。種子Ｓは、いわば培養液２ａに浸されたと同様の状態でいる。
【０００９】
しかしながら、発芽前の種子Ｓを、水Ｗや培養液２ａに浸された状態に保つ必要はないどころか却って害を及ぼすことが多い。具体的には、種子Ｓが常に培養液２ａに直接接し続けていると、その部分が腐敗して、培養液２ａを汚染してしまい易い。そして、汚染された２ａに触れていることで、種子Ｓ自身の腐敗がさらに進行し易い。さらに、汚染された培養液２ａに接していると、健全な種子Ｓまでも腐ってしまい、発芽しなかったり、発芽してもその後の成長に悪影響があったりすることが良く知られている。
【００１０】
そして、汚染された培養液２ａはスポンジ３ａを介して、シャーレ１ａに貯えられている培養液２ａをも汚染する。シャーレ１ａに貯えられた汚染された培養液２ａを新鮮なものに交換しても、スポンジ３ａは培養液２ａに浸漬しているので、スポンジ３ａに残っている汚染された培養液２ａが新鮮な培養液２ａを汚染すると共に、種子Ｓにも接し続ける。このような、種子Ｓが培養液２ａ或いは水Ｗに接し続けることによる種子Ｓの腐敗および、培養液２ａや水Ｗの汚染を防止するためには、シャーレ１ａの培養液２ａと共に、スポンジ３ａも新しいものと交換しなければならない。しかしながら、スポンジ３ａの交換は、種子Ｓを再度埋設する必要があり、その度に種子Ｓをさらに汚染したり、傷つけたりするおそれがある。
【００１１】
また、種子Ｓが発芽した後に、スポンジ３ａの中で発根すると、根はスポンジ３ａを介して、或いはスポンジ３ａからはみ出してシャーレ１ａから培養液２ａを直接吸収する。しかしながら、発根後も培養液２ａは種子Ｓの腐敗とは別の要因で汚染される。そして、培養液２ａが一端汚染すれば、やはり、シャーレ１ａの培養液２ａを新鮮なものに交換するだけでは、培養液２ａの汚染の進行は防げない。つまり、スポンジ３ａの交換が必要になるが、既に根はスポンジ３ａの中で成長しているために、スポンジ３ａの交換は困難である。
【００１２】
種子Ｓの腐敗および培養液２ａや水Ｗの汚染の可能性を低減する為に、シャーレ１ａに貯える培養液２ａ或いは水Ｗの量を制限する方法も考えられる。しかし、シャーレ１ａは空気中に暴露されているために、貯える培養液２ａや水Ｗが少量であれば、自然蒸発によって、スポンジ３ａに貯えられる培養液２ａや水Ｗが不足して、短時間で種子Ｓに十分給水できなくなってしまう。結果、事務所で水耕栽培する際には、週末の休みの間に水が不足して、発芽不良はおろか枯れてしまいかねない。そのためには、培養液２ａや水Ｗを十分に貯えておく必要があるが、そうすれば種子Ｓの腐敗や培養液２ａや水Ｗの汚染を招くことは上述の通りである。
【００１３】
このように、植物栽培容器Ｖａにおいては、種子Ｓを腐敗から守ることが困難であり、種子Ｓが一端腐敗すれば、培養液２ａあるいは水Ｗの汚染を防止することも困難である。結果として、種子Ｓは発芽しなかったり、発芽しても不健全な状態であったりして、本来の食用或いは観葉の目的を満たすことができない。
【００１４】
図６より明らかなように、植物栽培容器Ｖｂにおいても、トレイ３ｂにおける水Ｗは種子Ｓの上面より上の位置まで貯えられているので、種子Ｓは植物容器１ｂを介して進入してくる水Ｗに水没した状態で保持される。また、水Ｗの水位が下がったとしてもやはり、種子Ｓは植物容器１ｂや担体に含まれる水Ｗに接することになる。よって、植物栽培容器Ｖａにおけるのと同様に、発芽前の種子Ｓの腐敗、および腐敗に起因する水Ｗの汚染を防止することは出来ず、さらに発根後の水Ｗの汚染も解決できない。
【００１５】
図７より明らかなように、植物栽培容器Ｖｃにおいては、皿３ｃは卵殻１ｃに比べて非常に浅いので、貯えられる水Ｗは種子Ｓより遙か下側に位置する。よって、卵殻１ｃに封入された種子Ｓに十分に水Ｗを供給する為に、卵殻１ｃの上部の開口部Ｏから水Ｗを注ぎ入れる必要がある。そして、卵殻１ｃに封入された担体Ｍが保持できなくなった水Ｗの分量が貯水器３ｄで保持される。つまり、種子Ｓに十分給水するためには、頻繁に水Ｗを注ぎ入れると共に、担体の保水量を多く設定する必要がある。そして、保水量が十分であれば、種子Ｓは腐敗しやすく、保たれた水Ｗは汚染しやすい。そして、汚染した水Ｗは卵殻１ｃの中にとどまって、自身の汚染と種子Ｓの腐敗を促進する。また、皿３ｃの貯水量は小さいために、やはり週末など給水が困難な環境での使用に適さない。
【００１６】
図８より明らかなように、植物栽培容器Ｖｄにおいては、貯水器３ｄに貯えられた水Ｗが蒸発などして、水位が棚部１ｄに保持された種子Ｓより下がれば、種子Ｓは給水されないので、種子Ｓは当然発芽しない。このような事態を避けるためには、水Ｗは棚部１ｄの上面より上の位置まで貯えられる必要がある。この場合、種子Ｓは過剰な水Ｗに浸漬された状態に保たれる。つまり、種子Ｓの腐敗および水Ｗの汚染が容易に生じる。但し、植物栽培容器Ｖｄにおいては、水Ｗの担体を有しないので、容易に汚染した水Ｗを新鮮なものと交換できる。しかしながら、この場合においても、発芽の為に種子Ｓを交換した水Ｗに浸漬させなければ成らないので、やはり種子Ｓの腐敗は促進される。植物栽培容器Ｖｃなどに比べれば、水Ｗの貯水量は多いが、種子Ｓの腐敗を防止するためには、棚部１ｄの上面よりも上位にまで水Ｗを貯えておくことは出来ず、実質的に貯水量は制限せざるを得なく、やはりまた、週末など給水が困難な環境での使用に適さない。
【００１７】
上述の植物栽培容器Ｖａ、植物栽培容器Ｖｂ、植物栽培容器Ｖｃ、および植物栽培容器Ｖｄの何れも、種子Ｓを発芽させる目的においては問題が多く、ユーザが手軽に発芽させてスプラウトを楽しむことは非常に困難である。また、発根後においても、植物栽培容器Ｖｄを除いては、培養液２ａ或いは水Ｗを新鮮に保つための交換、あるいは補充頻度において問題を有している。
【００１８】
よって、本発明は、種子が培養液や水に直接触れることによる種子の腐敗を防止し、さらに種子が腐敗して水が汚染しても容易に汚染した水を新鮮なものと交換でき、さらに給水の頻度を低減して、ユーザが容易に発芽させて、水耕栽培を楽しめる植物栽培容器を提供することを目的とする。
【課題を解決するための手段】
【００１９】
植物を種子から発芽させて栽培する植物栽培容器であって、
外部から供給される液体を貯える貯水器と、
前記外部から供給される液体の所定量を吸収保持する液体保持部材と、
前記貯水器の上部に位置して、前記液体保持部材を当該貯水器の底面から第１の高さに保持する水分保持器とを備え、
種子は前記液体保持部材に蒔かれると共に、当該液体保持部材を介して給水されることを特徴とする。
【発明の効果】
【００２０】
本発明は、種子が培養液や水に直接触れることによる種子の腐敗を防止し、さらに種子が腐敗して水が汚染しても容易に汚染した水を新鮮なものと交換でき、さらに給水の頻度を低減して、ユーザが容易に発芽させて、水耕栽培を楽しめる植物栽培容器を提供できる。
【発明を実施するための最良の形態】
【００２１】
以下に、図１、図２、及び図３を参照して、本発明にかかる植物栽培容器Ｖについて説明する。なお、図１は本発明にかかる植物栽培容器Ｖの分解斜視図であり。図２は植物栽培容器Ｖの植物の水耕栽培時であって、種子Ｓが発芽前の状態を示す断面図である。そして、図３は、植物の水耕栽培時であって、種子Ｓが出芽および発根後の状態を示す断面図である。
【００２２】
図１に示すように、植物栽培容器Ｖは、基本的に貯水器ＷＶ、水分保持器ＷＨ、および水分保持材ＷＨＭを含む。貯水器ＷＶは、耐水性の部材で液体Ｌを安定的に貯えることが出来る形状に構成される。本例においては、鑑賞上および視認性の目的から、透明のプラスティック樹脂によって、所定の内壁高さＨｖと、所定の内径Ｄｖで規定されるカップ状に形成されている。なお、本例では、貯水器ＷＶは円筒形のカップ状に構成されているが、液体Ｌを安定的に貯えられることができる任意の形状で良い。
【００２３】
水分保持器ＷＨは、貯水器ＷＶの内部に勘合する所定深さＨｈのカップ部Ｃと、カップ部Ｃの上端から円周方向に延在するリム部Ｒを有している。カップ部Ｃを貯水器ＷＶの上部から内部に勘合させると、リム部Ｒが貯水器ＷＶの円筒壁に当接して、水分保持器ＷＨを貯水器ＷＶに係止するような形状に構成されている。本例では、貯水器ＷＶは円筒形のカップ状に構成されているので、水分保持器ＷＨも好ましくは、カップ部Ｃは所定深さＨｈおよび外形Ｄｈで規定される円筒状に構成され、その底面Ｂｈには所定の大きさの切れ込みＳＬが複数個設けられている。さらに、カップ部Ｃの上端部の周囲には、所定の外形Ｄｒ（Ｄｒ＞Ｄｖ＞Ｄｈ）でリム部Ｒが延在している。さらに、リム部Ｒは好ましくは、貯水器ＷＶの上端部を包み込むように下側に湾曲するように形成されている。この湾曲部Ｒｃ（図２）によって、水所定の加重Ｆに抗して分保持器ＷＨを貯水器ＷＶの上部に保持することができる。
【００２４】
図２に示すように、植物栽培容器Ｖの植物の水耕栽培に用いられる場合には、それぞれが、カップ部Ｃの底面部の切れ込みＳＬの幅より大きな顆粒状の水分保持材ＷＨＭが、カップ部Ｃ中に敷き詰められる。なお、この場合、水分保持材ＷＨＭの最下部である底面Ｂｈは、水分保持器ＷＨの底面からＨｃの高さ（Ｈｃ＝Ｈｖ−Ｈｈ）に位置する。この高さを、保水位置Ｈｃと呼ぶ。
【００２５】
水分保持材ＷＨＭは保水性が良く、種子Ｓに水Ｗを直接浸らせるのではなく、穏やかに水分を供給する性質を有し、さらに腐敗し難く、無害かつ化学的にも物理的にも安定的な材料であれば何でも良く、例えば生分解性セルロースなどが用いられる。上述のスポンジのように、水Ｗをそのまま自身のマトリックスに構成された孔に保持するのではなく、より小さな単位で水Ｗを自身の内部に含む素材で有ればよい。そして、水分保持材ＷＨＭに内部に保持された水Ｗは、水分保持材ＷＨＭの表面を解して種子Ｓに穏やかに供給される。
【００２６】
植物栽培容器Ｖの植物の水耕栽培に用いられる場合には、貯水器ＷＶの上部に保持された水分保持器ＷＨのカップ部Ｃに敷き詰められた水分保持材ＷＨＭの上に、種子Ｓが適当な間隔で蒔かれて載置される。この状態で、ユーザによって、水Ｗが水分保持器ＷＨの上部から、水分保持材ＷＨＭに均等に行き渡るように散水される。散水された水Ｗは、水分保持材ＷＨＭで吸収保持されると共に、その保持能力を超えた分は水分保持材ＷＨＭを通り過ぎて落下して、貯水器ＷＶ内に貯えられる。そして、貯えられた貯水器ＷＶの水位が水分保持器ＷＨの底面からの高さＨｓ（０＜Ｈｓ＜Ｈｃ＝Ｈｖ−Ｈｈ）に到達して時点で散水は停止される。結果、水分保持器ＷＨに貯えられた水Ｗの水位である高さＨｓを、貯水水位Ｈｓと呼ぶ。
【００２７】
上述のように、保水位置Ｈｃは貯水水位Ｈｓより高いので、水分保持材ＷＨＭの下面と、貯えられた水Ｗとの間には空間ＩＳが生じる。つまり、この空間ＩＳによって、水分保持材ＷＨＭと遮断されて水Ｗと直接触れることがない。結果、水分保持材ＷＨＭの上に蒔かれた種子Ｓが水Ｗに触れて腐敗することが防止される。なお、水Ｗを過剰に補充されて貯水水位Ｈｓが保水位置Ｈｃ、或いはそれ以上で種子Ｓの下面以下に到達しる場合には、種子Ｓは水Ｗに浸漬することはない。しかしながら、顆粒状の水分保持材ＷＨＭの間に働く毛細管現象によって、水Ｗが吸い上げられて、顆粒状の水分保持材ＷＨＭの此処の間に水Ｗして保持される。この場合、種子Ｓが水分保持材ＷＨＭの此処の間で保持されている水Ｗに直接接触して、種子Ｓの腐敗や水Ｗの汚染が生じる。よって、本発明においては、貯水水位Ｈｓが保水位置Ｈｃより下になるように管理される。
【００２８】
また、水分保持器ＷＨの外形状は、貯水器ＷＶに内形状と概ね相似形であると共に、リム部Ｒが水分保持器ＷＨの上端部を覆っている。そのために、貯水器ＷＶに貯えられた水Ｗが自然蒸発する際には、その水蒸気は全て水分保持材ＷＨＭを通過する。言うまでもなく、水分保持材ＷＨＭは保水性に優れるので、通過する水蒸気を取り込む。そして、水分保持材ＷＨＭの保水能力を超えた量の水蒸気は、水分保持材ＷＨＭを通過して大気中に放出される。このように、水分保持材ＷＨＭには、貯水器ＷＶに貯えられた水Ｗの自然蒸発による水蒸気として、適量の水Ｗが穏やかに補充される。結果、種子Ｓには水分保持材ＷＨＭを介して常に、種子Ｓの腐敗を招かぬような適量の水Ｗが供給されて、発芽が促進される。水Ｗが汚染された場合も、水分保持材ＷＨＭに蒔かれた種子Ｓは、水分保持器ＷＨと一体的に取り扱えるので、汚染された水Ｗを新鮮なものと交換することが極めて容易である。
【００２９】
図３に、種子Ｓが発芽して、芽５が水分保持材ＷＨＭから上方に伸び、さらに根６は水分保持材ＷＨＭから下に延びている様子を示す。同例においては、根６が貯水器ＷＶに貯えられた水Ｗを直接吸い上げることと、自然蒸発とが相まって、水分保持材ＷＨＭは常に適度な量の水分を貯える。
【００３０】
さらに、植物栽培容器Ｖは、水分保持材ＷＨＭを除いて、その構成要素を透明な樹脂で構成できるので、種子Ｓの状態や、水Ｗの汚染の有無も容易に確認できる。さらに、貯水水位Ｈｓを確かめながら水Ｗを補充できるので、水分保持材ＷＨＭを水Ｗに浸らせて種子Ｓの腐敗を招いてしまう事態が避けられる。このように、観葉のみ成らず、栽培状態の事が確認及び管理においても優れた効果を有する。
【００３１】
図４に、貯水器ＷＶの変形例を示す。同例においては、貯水器ＷＶの壁面で貯水水位Ｈｓの相当する位置に、所定の大きさの排水口Ｈｅが設けられている。これは、貯水器ＷＶが不透明材料で構成されていて、給水時に貯水水位Ｈｓの確認が困難な場合に、過剰に供給される水Ｗが排水口Ｈｅから流れ出すことによって、貯水水位Ｈｓを確実に保つことが出来るようにしたものである。また、貯水器ＷＶに貯えられた水Ｗの水蒸気が、排水口Ｈｅから排出されてしまうことによる水分保持材ＷＨＭの補充水量の減少や、さらに、貯水器ＷＶの取り扱い時に排水口Ｈｅから水Ｗが流れ出すことを防止するために、排水口Ｈｅの内壁に勘合する栓Ｐが設けられている。このように、栓Ｐは必要に応じて、用いればよく、必須ではない。
【産業上の利用可能性】
【００３２】
事務所や家庭の卓上で植物を種子から栽培する水耕栽培などに用いることができる。
【図面の簡単な説明】
【００３３】
【図１】本発明の実施の形態にかかる植物栽培容器を示す分解斜視図
【図２】図１に示した植物栽培容器が植物の発芽に用いられる時の断面図
【図３】図１に示した植物栽培容器において、植物が発芽および発根している時の断面図
【図４】本発明の実施の形態にかかる植物栽培容器の変形例を示す断面図
【図５】従来の植物栽培容器のであって、液中に浸されたスポンジを用いるものの説明図
【図６】従来の植物栽培容器であって、熱接着シートにて容器を閉塞して、取り扱いの便宜を図るもの説明図
【図７】従来の植物栽培容であって、卵殻を用いて、取り扱いの便宜を図るものの説明図
【図８】従来の植物栽培容器であって、種子に水分が十分に供給されるように工夫されたものの説明図
【符号の説明】
【００３４】
Ｖ、Ｖａ、Ｖｂ、Ｖｃ、Ｖｃ  植物栽培容器
ＷＨ  水分保持器
Ｃ  カップ部
ＳＬ  切れ込み
Ｒ  リム部
Ｂｈ  底面
ＷＨＭ  水分保持材
ＷＶ  貯水器
Ｗ  水
Ｂｖ  底面
１ａ  シャーレ
１ｂ  植物容器
１ｃ  卵殻
１ｄ  棚部
２ａ  培養液
２ｂ  熱接着
３ａ  スポンジ
３ｂ  トレイ
３ｃ  皿
４ａ  切れ込み
４ｃ  穴
５、５ａ  芽
５ｃ  不織紙
６  根
Ｏ  開口
Ｍ  担体
Ｓ  種子
ＳＰ  発芽
Ｈｄ  貫通孔
Ｈｅ  排水孔
Ｐ  栓
【図１】
2006034238.tif 000003
【図２】
2006034238.tif 000004
【図３】
2006034238.tif 000005
【図４】
2006034238.tif 000006
【図５】
2006034238.tif 000007
【図６】
2006034238.tif 000008
【図７】
2006034238.tif 000009
【図８】
2006034238.tif 000010